(57)【要約】【課題】加熱コイルの部品を積上げ方式で組み立てる簡素化した構成の加熱コイルユニットを提供する。【解決手段】外郭を構成する本体と、前記本体の上面に設けて被加熱物を載置するトッププレート１１と、トッププレートの下方に設けて誘導加熱する加熱コイル１３と、加熱コイルの内側から引き出される端末部Ａと、加熱コイルの外側から引き出される端末部Ｂと、コイルベース１４の平面の一部に設けた開口穴２６と、開口穴に設けた引掛け部２７とを備え、端末部Ａ２２は開口穴に配置するとともに、加熱コイルの下に引掛け部を配置するとともに引掛け部の下に端末部Ａを配置して、コイルベースは加熱コイルの中心から開口穴の外側の平面部には、平面部の上に端末部Ａおよび端末部Ｂ２３を備えた構成とする。【選択図】図３
2011014343.tif 000002
【特許請求の範囲】
【請求項１】
外郭を構成する本体と、前記本体の上面に設けて被加熱物を載置するトッププレートと、前記トッププレートの下方に設けて前記被加熱物を誘導加熱する渦巻き状の加熱コイルと、前記加熱コイルの渦巻き状の内側から引き出される端末部Ａと、前記加熱コイルの渦巻き状の外側から引き出される端末部Ｂと、前記端末部Ａおよび前記端末部Ｂに固定した外部との接続用の端子と、前記加熱コイルを保持するコイルベースと、前記コイルベースの中央部に放射状に設けた収納部と、前記収納部に収まるフェライトコアと、前記フェライトコアの上に備えた絶縁板と、前記コイルベースの前記収納部により区分された複数の平面の一部に設けた開口穴と、前記開口穴に設けた引掛け部とを備え、前記コイルベースの上面に前記加熱コイルを載置して、前記端末部Ａは前記開口穴に配置するとともに、前記加熱コイルの渦巻き部の下に引掛け部を配置するとともに前記引掛け部の下に端末部Ａを配置して、前記コイルベースは前記加熱コイルの中心から開口穴の外側の平面部には、前記平面部の上に前記端末部Ａおよび前記端末部Ｂを備えた構成の誘導加熱調理器。
【請求項２】
コイルベースは加熱コイルの中心から開口穴の外側の平面部には、前記平面部の上に端末部Ａおよび端末部Ｂを上から絶縁材料からなる固定板で押さえた構成の請求項１に記載の誘導加熱調理器。
【請求項３】
防磁リングと、前記防磁リングを保持する樹脂製のリング保持台とを有し、前記リング保持台でコイルベースの加熱コイルの中心から開口穴の外側の平面部の上に備えた端末部Ａおよび端末部Ｂを上から押さえた構成の請求項１に記載の誘導加熱調理器。
【請求項４】
加熱コイルの外側に同心円状に配置する導光板と、前記導光板を保持する導光板保持台とを有し、導光板保持台でコイルベースの加熱コイルの中心から開口穴の外側の平面部の上に備えた端末部Ａおよび端末部Ｂを上から押さえた構成の請求項１記載の誘導加熱調理器。
【発明の詳細な説明】
【技術分野】
【０００１】
本発明は、調理容器を誘導加熱する誘導加熱調理器に関するものである。
【背景技術】
【０００２】
従来、この種の誘導加熱調理器は、本体を構成するフレームおよび外郭ケースと、被加熱調理容器を載置する天板と、被加熱調理容器を加熱する加熱コイルと、加熱コイルを載置するコイルベースとを備え、加熱コイルの内側の端末部はコイルベースを上から下方に貫通させて、コイルベースの下側を引き回して、加熱コイルの内側の端末部は加熱コイルの渦巻きに触れずに加熱コイルの外周の外側に引き出していた。
【０００３】
これにより、加熱コイルの内側の端末部は加熱コイルの渦巻きの外周部との電位差があるが、接触しない構成にしていた。
【先行技術文献】
【特許文献】
【０００４】
【特許文献１】特開２００２−７５６１１号公報
【発明の概要】
【発明が解決しようとする課題】
【０００５】
しかしながら、前記従来の構成では、コイルベースに加熱コイルの端末部の配線処理をするときに、コイルベースを反転する必要があった。そのため、加熱コイルユニットの組立に時間がかかるという課題を有していた。
【０００６】
本発明は、前記従来の課題を解決するもので、加熱コイルの配線処理でコイルベースを回転して作業することを無くして、ユニット部品の積上げ方式で組み立てる簡素化した構成の加熱コイルユニットを備えた誘導加熱調理器を提供することを目的とする。
【課題を解決するための手段】
【０００７】
前記従来の課題を解決するために、本発明の誘導加熱調理器は外郭を構成する本体と、前記本体の上面に設けて被加熱物を載置するトッププレートと、前記トッププレートの下方に設けて前記被加熱物を誘導加熱する渦巻き状の加熱コイルと、前記加熱コイルの渦巻き状の内側から引き出される端末部Ａと、前記加熱コイルの渦巻き状の外側から引き出される端末部Ｂと、前記端末部Ａおよび前記端末部Ｂに固定した外部との接続用の端子と、前記加熱コイルを保持するコイルベースと、前記コイルベースの中央部に放射状に設けた収納部と、前記収納部に収まるフェライトコアと、前記フェライトコアの上に備えた絶縁板と、前記コイルベースの前記収納部により区分された複数の平面の一部に設けた開口穴と、前記開口穴に設けた引掛け部とを備え、前記コイルベースの上面に前記加熱コイルを載置して、前記端末部Ａは前記開口穴に配置するとともに、前記加熱コイルの渦巻き部の下に引掛け部を配置するとともに前記引掛け部の下に端末部Ａを配置して、前記コイルベースは前記加熱コイルの中心から開口穴の外側の平面部には、前記平面部の上に前記端末部Ａおよび前記端末部Ｂを備えた構成としたものである。
【０００８】
これにより、コイルベースに上から加熱コイルをセットする際に、コイルベースに設けた開口穴に端末部Ａをたわませながら、引掛け部に端末部Ａを下方にくぐらせながら、引き回して、その後に加熱コイルをコイルベースに載せて、端末部Ａと端末部Ｂに固定した端子をコイルベースの配線処理できるので、加熱コイルユニットは部品を反転させる動作をしなくても組み立てることができる。
【発明の効果】
【０００９】
本発明の誘導加熱調理器は、端末部の配線処理が簡素化されて組立も簡素化された加熱コイルユニットを備えた誘導加熱調理器を提供することができる。
【図面の簡単な説明】
【００１０】
【図１】本発明の実施の形態１における誘導加熱調理器の斜視図
【図２】本発明の実施の形態１における誘導加熱調理器の加熱コイルの構造を説明するための分解斜視図
【図３】本発明の実施の形態１における誘導加熱調理器の加熱コイルの構造を説明するための分解斜視図
【図４】本発明の実施の形態１における誘導加熱調理器の加熱コイルの斜視図
【図５】本発明の実施の形態１における誘導加熱調理器の加熱コイルの裏面図
【図６】本発明の実施の形態２における誘導加熱調理器の加熱コイルの斜視図
【図７】本発明の実施の形態２における誘導加熱調理器の加熱コイルの説明の分解斜視図
【図８】本発明の実施の形態３における誘導加熱調理器の加熱コイルの説明の分解斜視図
【図９】本発明の実施の形態３における誘導加熱調理器の加熱コイルの説明の分解斜視図
【図１０】本発明の実施の形態３における誘導加熱調理器の加熱コイルの斜視図
【図１１】本発明の実施の形態４における誘導加熱調理器の加熱コイルの説明の分解斜視図
【図１２】本発明の実施の形態４における誘導加熱調理器の加熱コイルの斜視図
【発明を実施するための形態】
【００１１】
第１の発明は、外郭を構成する本体と、前記本体の上面に設けて被加熱物を載置するトッププレートと、前記トッププレートの下方に設けて前記被加熱物を誘導加熱する渦巻き状の加熱コイルと、前記加熱コイルの渦巻き状の内側から引き出される端末部Ａと、前記加熱コイルの渦巻き状の外側から引き出される端末部Ｂと、前記端末部Ａおよび前記端末部Ｂに固定した外部との接続用の端子と、前記加熱コイルを保持するコイルベースと、前記コイルベースの中央部に放射状に設けた収納部と、前記収納部に収まるフェライトコアと、前記フェライトコアの上に備えた絶縁板と、前記コイルベースの前記収納部により区分された複数の平面の一部に設けた開口穴と、前記開口穴に設けた引掛け部とを備え、前記コイルベースの上面に前記加熱コイルを載置して、前記端末部Ａは前記開口穴に配置するとともに、前記加熱コイルの渦巻き部の下に引掛け部を配置するとともに前記引掛け部の下に端末部Ａを配置して、前記コイルベースは前記加熱コイルの中心から開口穴の外側の平面部には、前記平面部の上に前記端末部Ａおよび前記端末部Ｂを備えた構成にすることにより、コイルベースに上から加熱コイルをセットする際に、コイルベースに設けた開口穴に端末部Ａをたわませながら、引掛け部に端末部Ａを下方にくぐらせながら、引き回して、その後に加熱コイルをコイルベースに載せて、端末部Ａと端末部Ｂに固定した外部との接続用の端子をコイルベースの上面で配線処理できるので、加熱コイルユニットは部品を反転させる動作をしなくても組み立てることができる。
【００１２】
第２の発明は、特に、第１の発明において、コイルベースは加熱コイルの中心から開口穴の外側の平面部には、前記平面部の上に端末部Ａおよび端末部Ｂを上から絶縁材料からなる固定板で押さえた構成にすることにより、電位差の大きい端末部Ａと端末部Ｂが接触する恐れも防止でき、安全性を確保することができる。
【００１３】
第３の発明は、特に、第１の発明において、防磁リングと、前記防磁リングを保持する
樹脂製のリング保持台とを有し、前記リング保持台でコイルベースの加熱コイルの中心から開口穴の外側の平面部の上に備えた端末部Ａおよび端末部Ｂを上から押さえたとすることにより、最近の動向では誘導加熱調理器の電磁波漏れを対策した構成が主流になっているが、この防磁リングを加熱コイルユニットに備えても、樹脂製のリング保持台が防磁リングと端末部Ａ及び端末部Ｂとの接触する恐れを防止するとともに、樹脂製のリング保持台が端末部Ａおよび端末部Ｂを上から押さえた構成により、電位差の大きい端末部Ａと端末部Ｂが接触する恐れも防止でき、安全性を確保することができる。
【００１４】
また、樹脂製のリング保持台と防磁リングもコイルベースに加熱コイルを載せた後に組立てることで、加熱コイルユニットは部品を反転させる動作をしなくても組み立てることができる。
【００１５】
第４の発明は、特に、第１の発明において、加熱コイルの外側に同心円状に配置する導光板と、前記導光板を保持する導光板保持台とを有し、導光板保持台でコイルベースの加熱コイルの中心から開口穴の外側の平面部の上に備えた端末部Ａおよび端末部Ｂを上から押さえた構成にすることにより、電位差の大きい端末部Ａと端末部Ｂが接触する恐れも防止でき、安全性を確保することができる。
【００１６】
また、導光板と、導光板保持台コイルベースに加熱コイルを載せた後に組立てることで、加熱コイルユニットは部品を反転させる動作をしなくても組み立てることができる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における誘導加熱調理器の斜視図、図２と図３は、本発明の第１の実施の形態における誘導加熱調理器の加熱コイルの構造を説明するための分解斜視図、図４は、本発明の第１の実施の形態における誘導加熱調理器の加熱コイルの斜視図、図５は、本発明の第１の実施の形態における誘導加熱調理器の加熱コイルの裏面図である。
【００１９】
図１において、誘導加熱調理器の本体の上面には、被加熱物を載置するトッププレート１１を貼り付けた天板１２が取り付けられており、本体から天板１２を外すと、トッププレート１１の下方には複数の加熱コイル１３を有している。
【００２０】
図２、図３において、加熱コイルユニットは、コイルベース１４、複数のフェライトコア１５、絶縁板１６、コイル１７、コイルベース１４の複数のフェライトコア１５を放射状に収める収納部１８、コイル１７で構成している。
【００２１】
また、コイル１７は、内側コイル１９、コイル１７の外側コイル２０、コイル１７の内側コイル１９と外側コイル２０の接続部２１を有している。内側コイル１９の内側の端末部Ａ２２、外側コイル２０の外側の端末部Ｂ２３は、外部接続用の端子２４に固定している。コイルベース１４の端子保持部２５は、端子２４を保持している。
【００２２】
コイルベース１４には、フェライトコア１５が収納され、その上に絶縁板１６が載置されている。コイルベース１４は、放射状の複数のフェライトコア１５を収納する収納部１８により区分された複数の平面のうち、端子保持部２５に近接した位置に開口穴２６（図３）を設けている。
【００２３】
また、コイルベース１４の開口穴２６に設けた引掛け部２７、引掛け部２７の平面Ａ２
８、開口穴２６の外側の平面Ｂ２９を構成している。
【００２４】
図４において、コイル１７をコイルベース１４に載置すると、端子保持部２５に端子２４が収まり、平面Ｂ２９上に端末部Ａ２２と端末部Ｂ２３が配置される。
【００２５】
図５において、コイル１７をコイルベース１４に載置すると、端末部Ａ２２は引掛け部２７の平面Ａ２８の下方に配置される。
【００２６】
ここでコイル１７は、二重の輪形のコイル形状で説明するが、これに限ったものではない。
【００２７】
以上のように構成された誘導加熱調理器について、以下その動作、作用を説明する。
まず、コイルベース１４は、保持部１８に上方からフェライトコア１５を載置して、フェライトコア１５の上には上方から絶縁板１６が載置される。
【００２８】
そしてその上に、コイル１７を上方から載置されるが、先ずコイル１７の端末部Ａ２２がコイルベース１４の引掛け部２７の下側に引き回して、端末部Ａ２２が平面Ａ２８の下方に配置してから内側コイル１９と外側コイル２０を絶縁板１６上に載置して、その後に端子部２４をコイルベース１４の端子保持部２５に取付ける。
【００２９】
これにより、内側コイル１９の端末部Ａ２２と外側コイル２０とは電位差があり絶縁する必要があるが、外側コイル２０と端末部Ａ２２の間には縦壁Ａ２８を備えていることで接触することを防止でき、絶縁することができる。
【００３０】
この動作により、加熱コイルユニットは部品を反転させる動作をしなくても組み立てることができる。また、組立が容易になり、組立時間が短縮できる。また自動機を使っての組立作業も容易にできる。
【００３１】
更に、従来の構成のように、コイルベースを反転する作業時にコイルの端末部に無理な張力を与えてしまい、コイルの端末部のセットした位置がずれて両方の端末部が接触して絶縁不良になったりすることも防止できる。
【００３２】
また、本体内の冷却風が開口穴２６に下から入ると、その風が絶縁板１６や内側コイル１９と外側コイル２０にあたり、冷却風の向きが変わり、端子２４にも流れるので、端子２４の発熱を冷却することもできる。
【００３３】
（実施の形態２）
図６は、本発明の第２の実施の形態における誘導加熱調理器の加熱コイルの斜視図、図７は、本発明の第２の実施の形態における誘導加熱調理器の加熱コイルの説明の分解斜視図である。尚、実施の形態１と基本構成は同じなので説明は省略し、異なる点を中心に説明する。また、実施の形態１と同じ構成部品には同じ符号を付している。
【００３４】
図６、図７において、コイルベース３３、固定板３４、固定板の天面部３５、天面部３５の下面から下に伸ばした縦壁Ａ３６、天面部３５の下面から下に伸ばした縦壁Ｂ３７で構成している。また、コイルベース３３の平面部３８、平面部３８に設けた開口穴３９を有している。ここで、固定板３４は樹脂製で絶縁材料からなるが、特に樹脂でなくてもよい。
【００３５】
コイルベース３３の上にコイル１７を載置して、コイル１７の端末部Ａ２２と端末部Ｂ２３をコイルベース３３の平面部３８の上に配置する。そして天面部３５の縦壁Ｂ３７が
開口穴３９に入り込むように固定板３４を取り付けると、端末部Ａ２２と端末部Ｂ２３を天面部３５で押さえて、また端末部Ａ２２と端末部Ｂ２３をそれぞれ縦壁Ａ３６と縦壁Ｂ３７で挟み込む。
【００３６】
これにより、端末部Ａ２２と端末部Ｂ２３が上方向にずれることも無く、また端末部Ａ２２と端末部Ｂ２３とが接触することも防止できる。故に絶縁性能を確保して、安全性を維持することができる。
【００３７】
（実施の形態３）
図８と図９は、本発明の第３の実施の形態における誘導加熱調理器の加熱コイルの説明の分解斜視図であり、図１０は本発明の第３の実施の形態における誘導加熱調理器の加熱コイルの斜視図である。尚、実施の形態１と基本構成は同じなので説明は省略し、異なる点を中心に説明する。また、実施の形態１と同じ構成部品には同じ符号を付している。
【００３８】
図８において、防磁リング４０は、防磁リング４０の固定用の孔Ａ４１を有している。リングホルダ４２は、リングホルダ４２の固定用の孔Ｂ４３、リングホルダの底面４４を有している。
【００３９】
コイルベース４５は、コイルベース４５の固定用のボス４６、コイルベース４５のリングホルダ４２を載置する溝部４７を有している。尚、リングホルダ４２は樹脂製で形成して絶縁性を確保している。
【００４０】
図９において、リングホルダ４２の上に防磁リング４０を置いた状態では、孔Ａ４１と孔Ｂ４３は同心になるように一致させている。また防磁リング４０の下方に底面４４が設けてある。
【００４１】
図１０において、孔Ａ４１と孔Ｂ４３とはコイルベース４５の複数のボス４６の数箇所と同心で一致している。コイル１７の端末部Ａ２２と端末部Ｂ２３と防磁リング４０との間には底面４４が配置されている。
【００４２】
これにより、最近の動向では誘導加熱調理器の電磁波漏れを対策した構成が主流になっているが、この防磁リング４０を備えても、樹脂製のリングホルダ４２がコイル１４の端末部Ａ２２及び端末部Ｂ２３を押さえているので、接触する恐れを防止するとともに、リングホルダ４２の底面４４により金属性の防磁リング４０と端末部Ａ２２および端末部Ｂ２３とを絶縁しているので、安全性を確保できる。
【００４３】
また、防磁リングとリングホルダもコイルベース上に載せる構成であり、コイルベースを反転させる動作をしなくても組み立てることができる。
【００４４】
また防磁リングとリングホルダは、コイルベースに回転させて別の位置で取り付けることもでき、リングホルダに外側に突出部を設けても、コイルベースユニットで突出部を変えられる。
【００４５】
したがって、誘導加熱調理器で複数のコイルベースユニットを備えるときに、各々のコイルベースユニットで配置する回転角度を変えても突出部を変更することで、箱体の外郭に接触することなく、収納することができる。
【００４６】
（実施の形態４）
図１１は、本発明の第４の実施の形態における誘導加熱調理器の加熱コイルの説明の分解斜視図、図１２は本発明の第４の実施の形態における誘導加熱調理器の加熱コイルの斜
視図である。尚、実施の形態１と基本構成は同じなので説明は省略し、異なる点を中心に説明する。また、実施の形態１と同じ構成部品には同じ符号を付している。
【００４７】
図１１において、加熱コイルユニットは、加熱コイル１４の外側に同心円状に配置する導光板５０、導光板５０を保持する導光板保持台５１、導光板５０を収納する導光板保持台５１の溝部Ａ５２、発光手段５３、遮光カバー５４、コイルベース５５、コイルベース５５の溝部Ｂ５６で構成している。
【００４８】
ここで、導光板保持台５１の溝部Ａ５２には導光板５０が収納され、導光板保持台５１には発光手段５３も備え、発行手段５３の上に遮光カバー５４を取り付けて、発光手段５３からの光を効率よく導光板５０に発光させている。
【００４９】
ここで導光板保持台５１は、樹脂製で形成されており、導光板保持台５１でコイル１４の端末部Ａおよび端末部Ｂを上から押さえた構成により、電位差の大きい端末部Ａと端末部Ｂが接触する恐れも防止でき、安全性を確保できる。
【００５０】
また、導光板と、導光板保持台はコイルベースに加熱コイルを載せた後に組立てることで、加熱コイルユニットは部品を反転させる動作をしなくても組み立てることができる。
【産業上の利用可能性】
【００５１】
以上のように、本発明にかかる誘導加熱調理器は、組立が簡易で、安全性を確保した加熱コイルユニットを備えているので、家庭用、業務用など、すべての誘導加熱調理器に有効である。
【符号の説明】
【００５２】
１１  トッププレート
１３  加熱コイル
１４  コイルベース
１５  フェライトコア
１６  絶縁板
１７  コイル
１８  収納部
１９  内側コイル
２０  外側コイル
２２  端末部Ａ
２３  端末部Ｂ
２４  端子
２５  端子保持部
２６  開口穴
２７  引掛け部
２８  平面Ａ
２９  平面Ｂ
【図１】
2011014343.tif 000003
【図２】
2011014343.tif 000004
【図３】
2011014343.tif 000005
【図４】
2011014343.tif 000006
【図５】
2011014343.tif 000007
【図６】
2011014343.tif 000008
【図７】
2011014343.tif 000009
【図８】
2011014343.tif 000010
【図９】
2011014343.tif 000011
【図１０】
2011014343.tif 000012
【図１１】
2011014343.tif 000013
【図１２】
2011014343.tif 000014